(57)【要約】      （修正有）【課題】オープン型ドラム缶のシール性を確保しながら、簡単な構成で、オープン型ドラム缶の内容物とガスケットとの接触に起因したガスケットの劣化及び内容物の性状変化や汚染を防止することができる、オープン型ドラム缶、及びそれに用いる天蓋を提供する。【解決手段】円筒状をなした中空の胴体（２）と、胴体（２）の下端開口を閉塞する地板と、胴体（２）の上端開口に開閉可能に装着される天蓋（８）とを備え、胴体（２）は、その上端縁にて外側に突出するフランジ状の胴体カール（１２）を含み、天蓋（８）は、天蓋本体（２６）と、天蓋本体（２６）から胴体（２）の高さ方向に沿って立ち上がる立上り部（２８）と、立上り部（２８）の外周縁にて外側に突出し、環状のメインガスケット（１６）を介して胴体カール（１２）に被せられるフランジ状の天蓋カール（１４）とを含み、立上り部（２８）と胴体（２）との間にサブガスケット（３０）を設ける。【選択図】図５
0003210459.tif 000002
【実用新案登録請求の範囲】
【請求項１】
円筒状をなした中空の胴体と、
前記胴体の下端開口を閉塞する地板と、
前記胴体の上端開口に開閉可能に装着される天蓋と
を備え、
前記胴体は、その上端縁にて外側に突出するフランジ状の胴体カールを含み、
前記天蓋は、天蓋本体と、前記天蓋本体から前記胴体の高さ方向に沿って立ち上がる立上り部と、前記立上り部の外周縁にて外側に突出し、環状のメインガスケットを介して前記胴体カールに被せられるフランジ状の天蓋カールとを含み、
前記立上り部と前記胴体との間にサブガスケットを設けたことを特徴とするオープン型ドラム缶。
【請求項２】
前記サブガスケットは、それ自体の伸縮力により前記立上り部の外周面に係止されるとともに、前記胴体の内周面に押圧されて前記胴体の高さ方向に沿って環帯状に変形する環状弾性体である、請求項１に記載のオープン型ドラム缶。
【請求項３】
前記サブガスケットは、自然状態で、３ｍｍ〜６ｍｍの直径を有する断面略円形状をなす、請求項２に記載のオープン型ドラム缶。
【請求項４】
前記サブガスケットはプラスチック発泡材からなる、請求項２又は３に記載のオープン型ドラム缶。
【請求項５】
前記サブガスケットはチューブ状をなす、請求項２から４の何れか一項に記載のオープン型ドラム缶。
【請求項６】
オープン型ドラム缶の胴体の上端開口に開閉可能に装着される天蓋であって、
天蓋本体と、
前記天蓋本体から前記胴体の高さ方向に沿って立ち上がる平坦な外周面を有する立上り部と、
前記立上り部の外周縁にて外側に突出し、内側に環状のメインガスケットが配置されたフランジ状の天蓋カールと、
前記立上り部の外周面に、それ自体の伸縮力により係止されたサブガスケットと
を備えることを特徴とする天蓋。
【考案の詳細な説明】
【技術分野】
【０００１】
本考案は、オープン型ドラム缶、及びそれに用いる天蓋に関する。
【背景技術】
【０００２】
オープン型ドラム缶は、円筒状をなした中空の胴体と、胴体の下端開口を閉塞する地板と、胴体の上端開口に開閉可能に装着され、上端開口を閉塞する天蓋とを備えている。詳しくは、胴体は、その上端縁にて外側に突出するフランジ状の胴体カールを含む。また、天蓋は、天蓋本体と、天蓋本体から胴体の高さ方向に沿って立ち上がる立上り部と、立上り部の外周縁にて外側に突出し、環状のガスケットを介して胴体カールに被せられるフランジ状の天蓋カールを含む。従来においては、胴体カールと天蓋カールとの間にガスケットを配置して胴体に対する天蓋のシールを行うことにより、閉蓋時のドラム缶のシール性が確保される。
【０００３】
一方、特許文献１には、天蓋の立上り部の外周面にガスケット取付用溝を形成したガスケット取付用溝付天蓋が開示されている。この特許文献１では、従来のように胴体カールと天蓋カールとの間にガスケットを配置した場合、ドラム缶を多段積みしたときにガスケットが過度に潰れてへたり、その復元力が低下してドラム缶のシール性が低下するとの課題を解決するものである。
【０００４】
具体的には、ドラム缶に内容物を長期充填して貯蔵する場合や、ドラム缶から内容物を取り出して再度充填する場合、従来のガスケットの配置箇所ではドラム缶の多段積みによりガスケットの過度の潰れ、ひいては復元力の低下が発生するため、ガスケットを定期的に交換しなければならない。
【０００５】
そこで、特許文献１では、天蓋の立上げ部に形成したガスケット取付用溝に環状のガスケットを嵌め込むことにより、天蓋と胴体とのシールを行うようにしている。これにより、ドラム缶を多段積みしてもガスケットに荷重は掛からないため、ガスケットの潰れ、復元力の低下は抑制され、ガスケットを定期的に交換しなくともドラム缶のシール性は維持される。
【先行技術文献】
【特許文献】
【０００６】
【特許文献１】実開昭５９−８９８６０号公報
【考案の概要】
【考案が解決しようとする課題】
【０００７】
しかしながら、特許文献１においては、ドラム缶の内容物がガスケットに接触する可能性については格別な配慮がなされていない。具体的には、上記従来のように胴体カールと天蓋カールとの間にガスケットを配置するよりも、特許文献１のように天蓋の立上り部と胴体との間にガスケットを配置する方が、ドラム缶内に充填された内容物に近い位置にシール部が形成されることとなる。
【０００８】
従って、特許文献１のように配置されたガスケットは、ドラム缶に充填された内容物に接触する危険性が従来よりも高くなる。ガスケットがドラム缶の内容物に接触すると、内容物は、その種類にもよるが、ガスケットと化学反応し、ガスケットに性状変化（例えば硬度低下や収縮性低下など）、ひいては耐久性低下（劣化）をもたらし、ドラム缶のシール性が損なわれるおそれがある。また、ガスケットと内容物との化学反応の結果、内容物の性状変化が生じたり、或いは、発生した化合物が内容物に混入したりすることにより、内容物が汚染されるおそれもある。
【０００９】
また、特許文献１の場合には、天蓋の立上り部の外周面にガスケット取付用溝を形成しなければならないため、天蓋の製造工程か複雑化するとともに天蓋の加工コストが増大し、ひいてはドラム缶の生産性が悪化する懸念もある。
【００１０】
本考案はこのような課題に鑑みてなされたものであり、その目的とするところは、オープン型ドラム缶のシール性を確保しながら、簡単な構成で、オープン型ドラム缶の内容物とガスケットとの接触に起因したガスケットの劣化及び内容物の性状変化や汚染を防止することができる、オープン型ドラム缶、及びそれに用いる天蓋を提供することにある。
【課題を解決するための手段】
【００１１】
上記目的を達成するため、本考案のオープン型ドラム缶は、円筒状をなした中空の胴体と、胴体の下端開口を閉塞する地板と、胴体の上端開口に開閉可能に装着される天蓋とを備え、胴体は、その上端縁にて外側に突出するフランジ状の胴体カールを含み、天蓋は、天蓋本体と、天蓋本体から胴体の高さ方向に沿って立ち上がる立上り部と、立上り部の外周縁にて外側に突出し、環状のメインガスケットを介して胴体カールに被せられるフランジ状の天蓋カールとを含み、立上り部と胴体との間にサブガスケットを設けたことを特徴とする。
【００１２】
好ましくは、サブガスケットは、それ自体の伸縮力により立上り部の外周面に係止されるとともに、胴体の内周面に押圧されて胴体の高さ方向に沿って環帯状に変形する環状弾性体である。
好ましくは、サブガスケットは、自然状態で、３ｍｍ〜６ｍｍの直径を有する断面略円形状をなす。
【００１３】
具体的には、サブガスケットは、プラスチック発泡材から形成しても良いし、チューブ状を呈していても良い。
一方、本考案の天蓋は、オープン型ドラム缶の胴体の上端開口に開閉可能に装着される天蓋であって、天蓋本体と、天蓋本体から胴体の高さ方向に沿って立ち上がる平坦な外周面を有する立上り部と、立上り部の外周縁にて外側に突出し、内側に環状のメインガスケットが配置されたフランジ状の天蓋カールと、立上り部の外周面に、それ自体の伸縮力により係止されたサブガスケットとを備える。
【考案の効果】
【００１４】
本考案のオープン型ドラム缶、及びそれに用いる天蓋によれば、ドラム缶のシール性を確保しながら、簡単な構成で、内容物とガスケットとの接触に起因したガスケットの劣化及び内容物の性状変化や汚染を防止することができる。
【図面の簡単な説明】
【００１５】
【図１】本考案の一実施形態に係るオープン型ドラム缶の正面図である。
【図２】図１中のＡ部の断面図である。
【図３】図１の天蓋の全体を側方から示した断面図である。
【図４】図１のオープン型ドラム缶を密閉する前の胴体カール及び天蓋カールの状態を示す図である。
【図５】図１のオープン型ドラム缶を密閉した後の胴体カール及び天蓋カールの状態を示す図である。
【考案を実施するための形態】
【００１６】
以下、図面に基づき本考案の一実施形態に係るオープン型ドラム缶（以下、単にドラム缶とも称する）について説明する。
【００１７】
図１はオープン型ドラム缶１の正面図を示す。このドラム缶１は、円筒状をなした中空の胴体２と、胴体２の下端開口を閉塞する地板４と、胴体２の上端開口に開閉可能に締結ハンド６を介して装着される天蓋８とを備えている。胴体２の下端縁と地板４の外周縁とは、図示しない充填剤を介在させた状態で巻締めにより相互に接合され、いわゆるチャイム１０が形成されている。
【００１８】
図２は図１中のＡ部の断面図を示す。胴体２の上端縁は外側に突出するフランジ状の胴体カール１２として形成されている。天蓋８の上端縁もまた外側に突出するフランジ状の天蓋カール１４として形成されている。天蓋カール１４は胴体カール１２よりも外径が大きく形成され、天蓋８が胴体２の上端開口に装着されたとき、天蓋カール１４はメインガスケット１６を介して胴体カール１２に被せられる。
【００１９】
天蓋カール１４が胴体カール１２に被せられた後、締結バンド６が胴体カール１２及び天蓋カール１４を包み込むようにして取り付けられる。図１に示すように、締結バンド６の両端には、それぞれ断面Ｓ字状の締結金具であるＳ金具１８が取り付けられている。このＳ金具１８に挿通したボルト２０にナット２２を螺進することにより、胴体カール１２と天蓋カール１４とがメインガスケット１６を介して締結バンド６で締め付けられる。
【００２０】
こうして、天蓋８が胴体２の上端開口に装着され、ドラム缶１が閉蓋されて密閉状態となる。この際、メインガスケット１６は、胴体２と天蓋８との間において、ドラム缶１に充填された内容物の漏洩を防止するためのシール部２４として機能する。
【００２１】
図３は天蓋８の全体を側方から示した断面図であり、また、図４は天蓋カール１４を胴体カール１２に被せる前、すなわち締結ハンド６を締結してドラム缶１を密閉する前の胴体カール１２及び天蓋カール１４の状態を示す。天蓋８の円板状の天蓋本体２６には、その外周縁に立上り部２８が形成されている。この立上り部２８は、天蓋本体２６から図４及び図５で見て垂直方向、つまり、胴体２の高さ方向に沿って立ち上がるように形成されている。上述した天蓋カール１４は、天蓋本体２６における立上り部２８の上端に形成される。
【００２２】
メインガスケット１６は、本実施形態の場合、断面略半円形状の環状パッキンであって、天蓋カール１４の内側に貼付けられている。また、メインガスケット１６は、ドラム缶１内への充填が想定される広範な性状の内容物に対して十分な化学的耐性を有するのは勿論のこと、特に優れた気密性・液密性を有する組成物、例えば天然ゴム組成物から形成されている。
【００２３】
ここで、本実施形態では、天蓋８の立上り部２８と胴体２との間にサブガスケット３０が設けられている。サブガスケット３０は、ドラム缶１の内容物がメインガスケット１６に接触するのを阻止する遮断部３２として機能する。
【００２４】
詳しくは、図３及び図４に示すように、サブガスケット３０は、それ自体の伸縮力により立上り部２８の平坦な外周面２８ａに係止される弾性リングであって、外周面２８ａにガスケット取付用溝等が存在しなくとも天蓋８から容易には脱落しない。また、サブガスケット３０は、自然状態で、例えば３ｍｍ〜６ｍｍの直径を有する断面略円形状をなすとともに、ドラム缶１内への充填が想定される広範な性状の内容物に対して十分な化学的耐性を有する組成物であって、例えば発泡性ポリエステル等のプラスチック発泡材から形成されている。
【００２５】
図５は、図４に示す矢印方向に天蓋カール１４を胴体カール１２に被せ、締結ハンド６を締結してドラム缶１を密閉した後の胴体カール１２及び天蓋カール１４の状態を示す。ドラム缶１の密閉状態においては、天蓋８の立上り部２８の外周面２８ａと胴体２の内周面２ａとの間に空間３４が形成されている。サブガスケット３０は、胴体２の内周面２ａに押圧されることにより、空間３４において胴体２の高さ方向に沿って環帯状に潰れて変形する。
【００２６】
この環帯状に潰れたサブガスケット３０が空間３４をドラム缶１内から見てメインガスケット１６の手前側（上流側）で遮断する遮断部３２として機能する。この遮断部３２は、十分な化学的耐性を有する組成物から形成されたサブガスケット３０から形成されるため、ドラム缶１の内容物が接触することによる化学反応は発生せず、当該内容物が空間３４を通ってメインガスケット１６に接触するのを好適に阻止する。
【００２７】
以上のように本実施形態では、立上り部２８と胴体２との間にサブガスケット３０が設けられている。サブガスケット３０は、ドラム缶１内の内容物がメインガスケット１６に接触するのを阻止する遮断部３２として機能する。すなわち、ドラム缶１において異なる機能を有するメイン及びサブガスケット１６、３０の二重シール構造を実現したことにより、ドラム缶１のシール性を確保しながら、メインガスケット１６の劣化及びドラム缶１の内容物の性状変化や汚染を防止することができるため、ドラム缶１の信頼性及び耐久性の双方を向上することができる。
【００２８】
また、サブガスケット３０は、それ自体の伸縮力により立上り部２８の平坦な外周面２８ａに係止されて取り付けられる。従って、立上り部２８の外周面２８ａにガスケット取付用溝等を形成しなくとも良く、天蓋８の製造工程の複雑化、天蓋８の加工コスト増大、ひいてはドラム缶１の生産性悪化の何れをも防止しながら、簡単な構成で、上述したメイン及びサブガスケット１６、３０の二重シール構造を実現することができる。
【００２９】
また、サブガスケット３０は、自然状態で、３ｍｍ〜６ｍｍの直径を有する断面略円形状をなすとともに、発泡性ポリエステル等のプラスチック発泡材から形成される。このような単純な形状及び安価な材料からサブガスケット３０を形成することにより、内容物を充填したドラム缶１を運搬し、当該内容物をドラム缶１から取り出すべく天蓋８の開蓋した後には、サブガスケット３０の役割を全うしたとして、サブガスケット３０を手で引き千切る等し、天蓋８から取り外して廃棄するという簡易的な使い方も可能となる。
【００３０】
以上で本考案の実施形態についての説明を終えるが、本考案はこれらに限定されるものではなく、本考案の趣旨を逸脱しない範囲で種々の変更ができるものである。
【００３１】
例えば、サブガスケット３０は、ドラム缶１内の内容物がメインガスケット１６に接触するのを阻止する遮断部３２として機能するのであれば、寸法、形状、材質は上述したものに限定されない。具体的には、サブガスケット３０には、ドラム缶１内への充填が想定される広範な性状の内容物に対して十分な化学的耐性を有する組成物であって、押圧により環帯状に変形するのであれば、プラスチック発泡材等の弾性リング以外の中実、中空を問わない環状弾性体を使用可能である。例えば、サブガスケット３０はチューブ状をなしていても良く、医療用カテーテル等に用いられる軟質ポリエステルチューブをサブガスケット３０として使用しても良い。
【００３２】
また、上述したオープン型ドラム缶１を提供するのみならず、図３に示した状態のサブガスケット３０が係止された天蓋８のみを単体で提供することも可能である。この天蓋８のみを提供して他のオープン型ドラム缶に使用する場合であっても、当該オープン型ドラム缶のシール性を確保しながら、天蓋カール１４の内側に配置されたメインガスケット１６の劣化及びドラム缶１の内容物の性状変化や汚染を防止することができるのは云うまでもない。
【符号の説明】
【００３３】
１    オープン型ドラム缶
２    胴体
２ａ    内周面
４    地板
８    天蓋
１２    胴体カール
１４    天蓋カール
１６    メインガスケット
２６    天蓋本体
２８    立上り部
２８ａ    外周面
３０    サブガスケット（環状弾性体）
【図１】
0003210459.tif 000003
【図２】
0003210459.tif 000004
【図３】
0003210459.tif 000005
【図４】
0003210459.tif 000006
【図５】
0003210459.tif 000007